(57)【要約】      （修正有）【課題】フレームに取り付けられた発光ユニットの光の色または明るさを調整できる化粧鏡を提供する。【解決手段】化粧鏡は、当接構造が設けられる本体１０と、本体の前面に取り付けられる平面鏡２０と、光を前側へ放出する、本体の前面に設置されるＬＥＤ発光ユニット３０と、本体に設置され、ＬＥＤ発光ユニットと電気接続される電源モジュール４０と、本体に設置され、ＬＥＤ発光ユニットと電気接続される充電入力ポートと、後側へ枢転可能に本体に枢設され、その枢設端を回転させて当接構造と当接させると、本体を位置決めし、また、多段階の伸縮調整を可能とする調整可能支持スタンドと、を有する。【選択図】図１
0003194844.tif 000002
【実用新案登録請求の範囲】
【請求項１】
当接構造が設けられる本体と、
前記本体の前面に取り付けられる平面鏡と、
光を前側へ放出する、前記本体の前面に設置されるＬＥＤ発光ユニットと、
前記本体に設置され、ＬＥＤ発光ユニットと電気接続される電源モジュールと、
前記本体に設置され、ＬＥＤ発光ユニットと電気接続される充電入力ポートと、
後側へ枢転可能に前記本体に枢設され、その枢設端を回転させて当接構造と当接させると、該本体の位置決めと、多段階の伸縮調整を可能とする、調整可能支持スタンドと、を有することを特徴とする、
化粧鏡。
【請求項２】
前記角度調整支持スタンドは、第一支持部及び第二支持部を備え、該第一支持部は、その上端が回転可能に本体に枢設されると共に、両側にそれぞれ縦方向に摺動溝が形成され、内側面に複数の位置決め穴が縦方向に間隔をおいて凹設され、該第二支持部は、縦方向に沿って摺動可能に第一支持部に組み合わされ、その両側にそれぞれ、摺動可能に摺動溝に取り付ける摺動タブが延設されると共に、該第一支持部に対応する内面に位置決め凸部が凸設され、該位置決め凸部が何れか１つの位置決め穴に係合されることを特徴とする請求項１に記載の化粧鏡。
【請求項３】
前記第一支持部に止め凹部が凹設され、前記第二支持部における、止め凹部と対応する箇所に止め凸部が凸設され、該止め凸部が着脱可能に止め凹部に係合されることを特徴とする請求項２に記載の化粧鏡。
【請求項４】
前記ＬＥＤ発光ユニットと電気接続する充電入力ポートを有することを特徴とする請求項１乃至３の何れか１項に記載の化粧鏡。
【請求項５】
前記本体の後面に凸面鏡が設置されることを特徴とする請求項４に記載の化粧鏡。
【請求項６】
前記本体の後面に凸面鏡が設置されることを特徴とする請求項１乃至３の何れか１項に記載の化粧鏡。
【請求項７】
前記ＬＥＤ発光ユニットはさらに、電源スイッチ及び調整スイッチを備え、該電源スイッチは、各ＬＥＤ部材と電気接続されるように本体に設置され、該調整スイッチは、各ＬＥＤ部材と電気接続されるように本体に設置されること特徴をとする請求項５に記載の化粧鏡。
【請求項８】
前記ＬＥＤ発光ユニットはさらに、電源スイッチ及び調整スイッチを備え、該電源スイッチは、各ＬＥＤ部材と電気接続されるように本体に設置され、該調整スイッチは、各ＬＥＤ部材と電気接続されるように本体に設置されること特徴をとする請求項１乃至３の何れか１項に記載の化粧鏡。
【考案の詳細な説明】
【技術分野】
【０００１】
本考案は、特に光の色または明るさを調整できる化粧鏡に関するものである。
【背景技術】
【０００２】
人間は、容姿を美しく見せるために、化粧品をつけたり、着飾ったりする。特に女性の多くは、様々な化粧品を用いて顔をより綺麗に見せる努力をしているが、化粧をする時には、化粧鏡が必要となる。
【０００３】
既存の化粧鏡は、フレームに平面鏡を取り付け、テーブルまたは化粧台に立てて使用する。しかし、化粧鏡の傾斜度を調整できないことから、化粧する時、使用者が化粧鏡を用いて顔を各角度から映すために、頭を上げたり下げたりするように調整しないと、顔全体が見えないので、使用上不便であった。
【０００４】
さらに、化粧する時は通常、自然光や蛍光灯を用いるが、これらの光は白いと共に、行く場所に合わせた光に調整できないことから、そのメイクの効果を向上させることができない。
【考案の概要】
【考案が解決しようとする課題】
【０００５】
上述したように、既存の化粧鏡には、以下のような欠点を有する。
１.  既存の化粧鏡を使用する時は通常、自然光や蛍光灯を用いるが、それらの光は白いことから、場所が変わると、そのメイク効果が表れない。
２.  既存の化粧鏡は傾斜度を調整できないので、使用上非常に不便である。
３.  既存の化粧鏡は平面鏡であることから、凸面鏡の拡大効果がない。
【課題を解決するための手段】
【０００６】
本考案に係る化粧鏡は、当接構造が設けられる本体と、前記本体の前面に取り付けられる平面鏡と、光を前側へ放出する、前記本体の前面に設置されるＬＥＤ発光ユニットと、前記本体に設置され、ＬＥＤ発光ユニットと電気接続される電源モジュールと、前記本体に設置され、ＬＥＤ発光ユニットと電気接続される充電入力ポートと、後側へ枢転可能に前記本体に枢設され、その枢設端を回転させて当接構造と当接させると、該本体を位置決め、また、多段階の伸縮調整を可能とする調整可能支持スタンドと、を有するものである。
【０００７】
かかる化粧鏡において、前記角度調整支持スタンドは、第一支持部及び第二支持部を備え、該第一支持部は、その上端が回転可能に本体に枢設されると共に、両側にそれぞれ縦方向に摺動溝が形成され、内側面に複数の位置決め穴が縦方向に間隔をおいて凹設され、該第二支持部は、縦方向に沿って摺動可能に第一支持部に組み合わされ、その両側にそれぞれ、摺動可能に摺動溝に取り付ける摺動タブが延設されると共に、該第一支持部に対応する内面に位置決め凸部が凸設され、該位置決め凸部が何れか１つの位置決め穴に係合されることが好ましい。
【０００８】
かかる化粧鏡において、前記第一支持部に止め凹部が凹設され、前記第二支持部における、止め凹部と対応する箇所に止め凸部が凸設され、該止め凸部が着脱可能に止め凹部に係合されることが好ましい。
【０００９】
かかる化粧鏡において、前記ＬＥＤ発光ユニットと電気接続する充電入力ポートを有することが好ましい。
【００１０】
かかる化粧鏡において、前記本体の後面に凸面鏡が設置されることが好ましい。
【００１１】
かかる化粧鏡において、前記ＬＥＤ発光ユニットはさらに、電源スイッチ及び調整スイッチを備え、該電源スイッチは、各ＬＥＤ部材と電気接続されるように本体に設置され、該調整スイッチは、各ＬＥＤ部材と電気接続されるように本体に設置されることが好ましい。
【考案の効果】
【００１２】
本考案の化粧鏡は、その構造によれば、以下のメリットを有する。
１.  ＬＥＤ発光ユニットのＬＥＤが多くの色（例えば、赤、橙、黄、緑、青、紫など）に変化可能であることから、使用者が行く場所と同様の光環境を作り出すことができ、この光環境で化粧すれば、かっこいいイメージや、柔らかくて美しいイメージ、可愛いイメージなどの化粧法を自由に選び、メイクの効果を向上させる。
２.  角度調整支持スタンドが、位置決め凸部及び位置決め穴の構造を有する多段階式角度調整機能を具備していることから、必要に応じて自由に角度を調整することができるので、実用性に優れている。
３.  本体の後面に凸面鏡が設置されるので、その凸面鏡により使用者の顔を映して拡大する効果を有する。
４.  本考案の化粧鏡には、電池用電源モジュール、及びモバイルバッテリー用充電入力ポートを有することから、使用者が実際の需要に応じてそれらを自由に選べ、使用上非常に便利である。
【図面の簡単な説明】
【００１３】
【図１】本考案に係る化粧鏡の第一実施例の前面視斜視図である。
【図２】本考案に係る化粧鏡の第一実施例の後面視斜視図である。
【図３】本考案に係る化粧鏡の第一実施例の部分分解斜視図である。
【図４】本考案に係る化粧鏡の第一実施例の部分分解斜視図である。
【図５】図２の５−５線の部分拡大断面図である。
【図６】本考案に係る化粧鏡の第一実施例における使用状態を示す側面図である。
【図７】本考案に係る化粧鏡の第一実施例における他の使用状態を示す側面図である。
【図８】本考案に係る化粧鏡の第二実施例の後面視斜視図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１乃至図３に示すように、本考案に係る化粧鏡の第一実施例は、本体１０と、平面鏡２０と、ＬＥＤ発光ユニット３０と、電源モジュール４０と、充電入力ポート５０と、角度調整支持スタンド６０を有する。
【００１６】
前記本体１０は、矩形のケースであり、前後２枚の殻体を組み合わせてなり、前面に複数の装着穴１１が形成され、それらの装着穴１１は、ケースの前面の上側、右側、左側に形成される。
また、前記本体１０の後面底部に収納凹部１２が凹設され、該収納凹部１２の上部両側にそれぞれ枢設穴１３が対向するように凹設されると共に、収納凹部１２における、枢設穴１３の近傍に斜め下方に向かう当接構造１４が設けられ（図４の如く）、該当接構造１４は、斜め下方に４５度傾斜する当接面である。
【００１７】
前記平面鏡２０は、本体１０の前面中央に取り付けられ、また、前記ＬＥＤ発光ユニット３０は、本体１０に設置され、複数のＬＥＤ部材３１と、電源スイッチ３２と、調整スイッチ３３とを備え、その内、光を前側へ放出するＬＥＤ部材３１は装着穴１１に嵌設され、該電源スイッチ３２は、各ＬＥＤ部材３１と電気接続されるように、本体１０の底部の一側に設置され、該調整スイッチ３３は、各ＬＥＤ部材３１と電気接続されるように、本体１０の底部の一側かつ電源スイッチ３２の近傍に設置される。
【００１８】
前記電源モジュール４０は、ＬＥＤ発光ユニット３０の電源スイッチ３２と電気接続されるように、本体１０の底部に設置される。尚、本実施例における電源モジュール４０は、乾電池または二次電池に適用できる。
【００１９】
前記充電入力ポート５０は、ＬＥＤ発光ユニット３０の電源スイッチ３２と電気接続されるように、本体１０の底部における、電源スイッチ３２と反対する側に設置され、これにより、本実施例における充電入力ポート５０は、ケーブルを介してモバイルバッテリーまたはコンセントから電力の供給を受ける。
【００２０】
前記角度調整支持スタンド６０は、収納凹部１２に位置するように、後側へ枢転可能に本体１０に枢設されると共に、第一支持部６１及び第二支持部６２を備える。該第一支持部６１の両側の上端にはそれぞれ対向するように枢軸６１０が凸設され、該枢軸６１０は、回転可能に本体１０の枢設穴１３に挿設される（図４の如く）。
更に、該第一支持部６１における両側の底部にそれぞれ縦方向に摺動溝６１１が形成されると共に、内側面の両側における、摺動溝６１１近傍にそれぞれ対応するように、複数の位置決め穴６１２が縦方向に間隔をおいて凹設され、内側面の中間に止め凹部６１３が凹設される。
【００２１】
前記第二支持部６２は、縦方向に沿って摺動可能に第一支持部６１の内側面に組み合わされ、その両側の上部にそれぞれ反対するように摺動タブ６２０が延設され、該摺動タブ６２０は、摺動可能に摺動溝６１１に取り付けられる。更に、該第二支持部６２における、第一支持部６１と対応する内面の両側上部にそれぞれ位置決め凸部６２１が凸設され、該位置決め凸部６２１は、摺動可能に何れか１つの位置決め穴６１２に係合されると共に、該第二支持部６２における、第一支持部６１と対応する内面の中央に止め凸部６２２が凸設され、該止め凸部６２２は、着脱可能に止め凹部６１３に係合される。
【００２２】
本実施例の角度調整支持スタンド６０における第一支持部６１の両側上部にそれぞれ弧状のアームが延設され、該アームの上端における、当接構造１４の近傍の角部に摺動弧面が形成される。このため、その角度調整支持スタンド６０を本体１０に対して枢転させる時、第一支持部６１が摺動弧面を介して本体１０の当接構造１４と接触してもスムーズに回転し、第一支持部６１のアームの上端が当接構造１４に当接すると、角度調整支持スタンド６０が４５度に展開して本体１０を支持することができる。
【００２３】
図１に示すように、本考案に係る化粧鏡を使用する時は、まず電源スイッチ３２を押してＬＥＤ部材３１をＯＮ状態にした後、調整スイッチ３３を切り替えてＬＥＤ部材３１の光の色または輝度を自由に調整する。
また、それらのＬＥＤ部材３１は様々な色（例えば、赤、橙、黄、緑、青、紫など）に変化させることができることから、使用者が行く場所と同様な光環境を作り出すことができ、この光環境で化粧すれば、かっこいいイメージ、柔らかくて美しいイメージ、可愛いイメージなどの化粧放を自由に選び、メイクの効果を向上させることができる。
【００２４】
また、図３、図５乃至図７に示すように、本考案に係る角度調整支持スタンド６０は、位置決め凸部６２１及び位置決め穴６１２の構造を有する多段階式角度調整機能を具備している。このため、角度調整支持スタンド６０を調整する時には、まず第一支持部６１を本体１０から展開して第二支持部６２を第一支持部６１に対して縦方向に摺動させ、角度調整支持スタンド６０を所望の角度まで調整すると、位置決め凸部６２１が、対応する位置決め穴６１２に係合されるので、角度調整支持スタンド６０を位置決めることができる。
一方、角度調整支持スタンド６０を折畳む時は、第二支持部６２を、止め凸部６２２が第一支持部６１の止め凹部６１３に当接するまで第一支持部６１に押し込めば、第一支持部６１が本体１０と接近するように枢転して収納凹部１２に嵌合される。
【００２５】
このように、本考案に係る化粧鏡には、電池用電源モジュール４０、及びモバイルバッテリー用充電入力ポート５０を有することから、使用者が実際の需要に応じて自由に選ぶことができ、使用上非常に便利である。
【００２６】
また、図８に示すように、本考案に係る化粧鏡における第二実施例は、殆ど第一実施例と同一であるが、本体１０の後面に凸面鏡２１が設置される点において異なる。使用者が凸面鏡２１を用いて拡大する効果を有する。尚、本実施例の使用方法及び効果は、第一実施例と同一であるので、ここでは説明を省略する。
【符号の説明】
【００２７】
１０    本体
１１    装着穴
１２    収納凹部
１３    枢設穴
１４    当接構造
２０    平面鏡
２１    凸面鏡
３０    ＬＥＤ発光ユニット
３１    ＬＥＤ部材
３２    電源スイッチ
３３    調整スイッチ
４０    電源モジュール
５０    充電入力ポート
６０    角度調整支持スタンド
６１    第一支持部
６１０  枢軸
６１１  摺動溝
６１２  位置決め穴
６１３  止め凹部
６２    第二支持部
６２０  摺動タブ
６２１  位置決め凸部
６２２  止め凸部
【図１】
0003194844.tif 000003
【図２】
0003194844.tif 000004
【図３】
0003194844.tif 000005
【図４】
0003194844.tif 000006
【図５】
0003194844.tif 000007
【図６】
0003194844.tif 000008
【図７】
0003194844.tif 000009
【図８】
0003194844.tif 000010